(57)【要約】【課題】受信品質状態に応じて自動的に選局・受信先設定の切り替えを行うと、視聴ユーザには切り替えの認識がなく再生画面や音声の乱れも発生するため、ユーザに不快感／違和感を与える。【解決手段】リモコン（電源ＯＮ、選局ボタン）を押下するタイミングで選局先の放送の受信状態を評価して、受信状態もしくは伝送状態の品質の良い放送局に切り替え、選局・受信設定を行うことにより、視聴ユーザに、不快感／違和感を与えることなく常に品質の良い状態の放送の視聴を提供する。【選択図】図１
2007335924.tif 000002
【特許請求の範囲】
【請求項１】
電波による放送を受信する機能と、前記電波による放送における放送局が放送する番組と同じ番組を同時刻に放送する放送局を有しているブロードバンドネットワークによる放送を受信する機能と、前記電波による放送における放送波の選局周波数をプリセット可能な機能と、さらに、前記ブロードバンドネットワークによる放送における選局するための機能を有する放送受信装置であって、
前記電波による放送を受信・選局して復調する選局フロントエンド手段Ａと、
前記ブロードバンドネットワークによる放送における放送局との放送配信・受信の通信制御を行い、前記ブロードバンドネットワークによる放送を受信して選局する選局フロントエンド手段Ｂと、
前記放送受信装置が設置される地域（エリア）における前記電波による放送の放送局の選局に関する情報を取得する選局情報取得手段Ｃと、
前記放送受信装置が設置される地域（エリア）における前記ブロードバンドネットワークによる放送の放送局の選局に関する情報を取得する選局情報取得手段Ｄと、
前記電波による放送から受信できる放送局の放送を選局して受信するように前記選局フロントエンド手段Ａを制御し、また、前記ブロードバンドネットワークによる放送から受信できる放送局の放送を選局して受信するように前記選局フロントエンド手段Ｂを制御する自動選局制御手段と、
前記自動選局制御手段からの制御により、前記電波による放送および前記ブロードバンドネットワークによる放送を前記選局フロントエンド手段Ａおよび前記選局フロントエンド手段Ｂにおいて受信・選局できた放送局に対する、選局情報取得手段Ｃおよび選局情報取得手段Ｄで取得した選局情報と、リモコンのチャネル選択に関する情報とを対応付ける対応情報を格納し、格納している前記対応情報に基づき前記自動選局制御手段の動作を制御する選局情報格納手段と、
前記電波による放送の前記選局フロントエンド手段Ａにおける受信の状況から、各放送局の受信品質を選局設定の判断とするために評価する受信状態判断手段と、
前記ブロードバンドネットワークによる放送の前記選局フロントエンド手段Ｂにおける伝送の状況から、各放送局の伝送品質を選局設定の判断とするために評価する伝送状態判断手段と、
前記リモコン手段からチャネル選択を指示するリモコンコードを受信したとき、もしくは電源オンを指示するリモコンコードを受信したときに、タイミング信号（イ）を発生するリモコン受信手段と、
前記リモコン受信手段からの前記タイミング信号（イ）を受けて、前記受信状態判断手段と前記伝送状態判断手段に対してそれぞれの各放送局の受信品質あるいは伝送品質を再評価し、選局設定を再設定するように指示するタイミング信号（ロ）を生成する再評価設定手段と、
前記再評価設定手段からの前記タイミング信号（ロ）を受けて、前記受信状態判断手段と前記伝送状態判断手段において再評価されたそれぞれの各放送局の受信品質あるいは伝送品質の情報を基に、選局先を変更すべきか否かを判断し、その判断結果を前記選局情報格納手段に伝える選局設定判断手段と、
で構成され、
前記電波による放送における各放送局の受信品質と、前記ブロードバンドネットワークによる放送における各放送局の伝送品質を評価し、前記両放送において同じ番組を同時刻に放送している放送局の内の品質のよい方の放送局を選局設定しておき、チャネル切り替え時あるいは電源投入時に前記受信品質および前記伝送品質を自動的に再評価し、その再評価の結果の情報に基づき選局設定を再設定するとともに、前記チャネル切り替え時は再設定で選局された放送局の番組を再生することを特徴とする放送受信装置。
【発明の詳細な説明】
【技術分野】
【０００１】
本発明は、地上波デジタル放送の受信機能を備える放送受信装置に関するものであり、特に放送受信装置が、電波による放送とブロードバンドネットワーク（ＩＰネットワーク）通信による放送の両放送を受信することができる地上波デジタル放送の受信機能を備えている場合、番組チャネル切り替え時などに、より品質のよい放送局の選局を的確に行えるようにした技術に関するものである。
【背景技術】
【０００２】
地上波デジタル放送を受信するためには、放送受信装置を設置した地域に適する番組チャネルの受信周波数の設定、すなわち放送局の選局周波数とリモコンの設定を行う必要がある。
【０００３】
また、設置の地域に規定されたエリアであったとしても、放送を受信するアンテナの向きや放送受信装置を設置する家屋の状況によって、放送局の電波の受信状況が異なり、受信周波数の設定を変更することが必要になる場合もある。
【０００４】
このような地上波デジタル放送の放送受信装置におけるチャネル設定の操作については、ユーザが、地上波デジタル放送の放送エリアに関する情報と、エリア内で放送されている地上波デジタル放送のサービス番号およびその番組チャネルに関する受信周波数の情報を予め取得し、その取得した情報を基にマニュアル操作で放送受信装置の初期設定を行うことが必要となる。このようなユーザによるマニュアル操作は、ユーザに対して情報収集のために手間を取らせ、さらに煩雑なマニュアル操作を強いることになる。
【０００５】
上記のように、ユーザに煩雑なマニュアル操作を強いるなど、放送受信装置の初期設定が容易でないという課題を解決し、さらに複数箇所から送信される同一放送局の電波を受信するような放送電波の受信環境に設置される場合を考慮した最適な初期設定を行うことができる技術が特許文献１に開示されている。すなわち、特許文献１においては、ユーザによるマニュアル操作での選局周波数のプリセット設定がユーザに煩雑な操作を強いることになり使い勝手が悪いという課題と、環境を考慮したプリセット設定は手間と時間が掛かるという課題を解決し、放送受信装置が設置された場所に応じた選局周波数のプリセット設定が簡単・容易に行えると共に、設置場所の周辺環境を考慮した最適な自動プリセット、あるいは、ユーザの好みに応じた内容のプリセットを行うことができる技術が開示されている。
【０００６】
一方、現在実用化されているデジタル放送は電波による放送のみであるが、特許文献２
において、デジタル放送用の番組のデジタルコンテンツを、ブロードバンドネットワークを介して効率よく配信する技術が開示されているように、将来、ブロードバンドネットワーク（以後、ＩＰネットワークと呼ぶ）の進化と今後の普及により、ＩＰネットワーク通信による放送が受信できるようなることが十分に予測され、さらに、ＩＰネットワーク通信による放送においては、電波による放送の放送局と同じ番組を同時刻に放送する放送局を、少なくとも１局ないしは複数局有していることも十分に予測される。このようなときには、電波による放送とＩＰネットワークによる放送の両方の放送を受信／選局できる放送受信装置が登場することが予測される。
【特許文献１】特開２０００−１１２４１１号公報
【特許文献２】特開２００２−１１８８４１号公報
【発明の開示】
【発明が解決しようとする課題】
【０００７】
しかしながら、電波による放送とＩＰネットワーク通信による放送の両方の放送を受信／選局できる放送受信装置が登場した場合は、上記の放送局の選局、周波数のプリセット設定、設置の周辺環境を考慮した最適な自動プリセット設定、あるいは、ユーザの好みに応じた内容のプリセット設定等がさらに複雑になるといった課題とともに、電波放送における受信品質や、ＩＰネットワークにおける伝送品質等の状況に応じて、自動的にかつリアルタイムに選局の切り替えを行った場合、例えば、電波による放送の放送局Ａを視聴中に放送局Ａの受信品質が劣化し、一方、ＩＰネットワークによる放送の放送局Ａと同じ番組を放送している放送局ａからの伝送品質がよいときは、電波による放送の放送局ＡからＩＰネットワークによる放送の放送局ａにチャネル（放送局）の切り替えを行った場合、自動的な選局の切り替えに伴い表示映像が乱れたり、ユーザが要望しない選局となるといった課題も存在することが予測される。
【０００８】
本発明は、このような課題を解決しようとするものである。すなわち、電波による放送を受信する機能とＩＰネットワークに接続してネットワーク経由で放送を受信できる機能を備え、さらに、同じ番組を放送している電波による放送局とＩＰネットワークによる放送局のいずれの放送局の受信品質が良いかに応じて、受信品質状況の良い方の放送局を、ユーザの選局操作時に選択して自動的に選局の切り替えを行う機能を備え、かつ選局の切り替えをユーザに意識させず、視聴している映像や音声が乱れ無しに切り替えることができる放送受信装置を提供することを目的とする。
【課題を解決するための手段】
【０００９】
上記目的を達成するために、本発明の放送受信装置は、電波による放送を受信する機能と、前記電波による放送における放送局が放送する番組と同じ番組を同時刻に放送する放送局を有しているブロードバンドネットワークによる放送を受信する機能と、前記電波による放送における放送波の選局周波数をプリセット可能な機能と、さらに、前記ブロードバンドネットワークによる放送における選局するための機能を有する放送受信装置であって、前記電波による放送を受信・選局して復調する選局フロントエンド手段Ａと、前記ブロードバンドネットワークによる放送における放送局との放送配信・受信の通信制御を行い、前記ブロードバンドネットワークによる放送を受信して選局する選局フロントエンド手段Ｂと、前記放送受信装置が設置される地域（エリア）における前記電波による放送の放送局の選局に関する情報を取得する選局情報取得手段Ｃと、前記放送受信装置が設置される地域（エリア）における前記ブロードバンドネットワークによる放送の放送局の選局に関する情報を取得する選局情報取得手段Ｄと、前記電波による放送から受信できる放送局の放送を選局して受信するように前記選局フロントエンド手段Ａを制御し、また、前記ブロードバンドネットワークによる放送から受信できる放送局の放送を選局して受信するように前記選局フロントエンド手段Ｂを制御する自動選局制御手段と、前記自動選局制御手段からの制御により、前記電波による放送および前記ブロードバンドネットワークによる放送を前記選局フロントエンド手段Ａおよび前記選局フロントエンド手段Ｂにおいて受信・選局できた放送局に対する、選局情報取得手段Ｃおよび選局情報取得手段Ｄで取得した選局情報と、リモコンのチャネル選択に関する情報とを対応付ける対応情報を格納し、格納している前記対応情報に基づき前記自動選局制御手段の動作を制御する選局情報格納手段と、前記電波による放送の前記選局フロントエンド手段Ａにおける受信の状況から、各放送局の受信品質を選局設定の判断とするために評価する受信状態判断手段と、前記ブロードバンドネットワークによる放送の前記選局フロントエンド手段Ｂにおける伝送の状況から、各放送局の伝送品質を選局設定の判断とするために評価する伝送状態判断手段と、前記リモコン手段からチャネル選択を指示するリモコンコードを受信したとき、もしくは電源オンを指示するリモコンコードを受信したときに、タイミング信号（イ）を発生するリモコン受信手段と、前記リモコン受信手段からの前記タイミング信号（イ）を受けて、前記受信状態判断手段と前記伝送状態判断手段に対してそれぞれの各放送局の受信品質あるいは伝送品質を再評価し、選局設定を再設定するように指示するタイミング信号（ロ）を生成する再評価設定手段と、前記再評価設定手段からの前記タイミング信号（ロ）を受けて、前記受信状態判断手段と前記伝送状態判断手段において再評価されたそれぞれの各放送局の受信品質あるいは伝送品質の情報を基に、選局先を変更すべきか否かを判断し、その判断結果を前記選局情報格納手段に伝える選局設定判断手段と、で構成され、前記電波による放送における各放送局の受信品質と、前記ブロードバンドネットワークによる放送における各放送局の伝送品質を評価し、前記両放送において同じ番組を同時刻に放送している放送局の内の品質のよい方の放送局を選局設定しておき、チャネル切り替え時あるいは電源投入時に前記受信品質および前記伝送品質を自動的に再評価し、その再評価の結果の情報に基づき選局設定を再設定するとともに、前記チャネル切り替え時は再設定で選局された放送局の番組を再生することを特徴とするものである。
【発明の効果】
【００１０】
本発明は、同じ番組を放送している電波による放送局とブロードバンドネットワークを介して受信する放送局のいずれの放送局の受信品質または伝送品質が良いかに応じて、ユーザがチャネル選局の操作をするタイミングで品質状況の良い放送局を自動的に選択して切り替えることで、ユーザは常に品質の良い映像や音声を視聴することができる。
【００１１】
また、ユーザが番組チャネルの切り替え操作をするタイミングで自動的に放送局の切り替えを行うため、選局の切り替えをユーザに意識させず、視聴している映像や音声が乱れ無しに切り替えることができる。
【発明を実施するための最良の形態】
【００１２】
以下、本発明を実施するための最良の形態について、図面を参照しながら説明する。
【００１３】
（実施の形態１）
図１は、本発明の実施の形態１における放送受信装置の構成を示すブロック図である。
【００１４】
図１において、放送受信装置１００は、地上波放送や衛星放送などの放送局からの電波による放送を受信するアンテナ手段１０１と、ユーザによる後述するリモコン手段１１１における操作からの指示や後述する受信制御手段１０９の指示による放送の番組チャネルの選局を行い、選局された映像・データ多重ストリームを出力する選局フロントエンド手段１０２と、選局フロントエンド手段１０２から出力される映像・音声・データ多重ストリームから映像・音声ストリームを分離して出力する多重分離手段１０３と、多重分離手段１０３から出力される映像・音声ストリームをデコードするデコーダ手段１０４と、デコーダ手段１０４でデコードされた映像・音声信号の出力処理を行う映像音声処理手段１０５と、放送受信装置１００のユーザによるリモコン操作に基づく制御及びシステム制御を行うＣＰＵ制御手段１０６と、電波による放送局からの受信品質情報とＩＰネットワークからの受信品質情報を総合的に判断して選局を指示する選局設定判断手段１０７と、ユーザのリモコン手段１１１によるチャネル選択と、電波による各放送局およびＩＰネットワークによる各放送局との情報を対応付ける対応情報を格納する選局情報格納手段１０８と、電波による各放送局およびＩＰネットワークによる各放送局の選局を行うための制御を行う、あるいは後述する自動選局制御手段１１０からの指示に基づき選局フロントエンド手段１０２もしくは選局フロントエンド手段１１４のいずれかの出力を遮断する受信制御手段１０９と、選局情報格納手段１０８に格納されている選局情報に基づいて選局するために受信制御手段１０９を制御する、あるいは初期設定時にユーザが入力する初期設定情報に基づいて受信条件の初期設定を制御する自動選局制御手段１１０と、ユーザのリモコン操作に対応したリモコンコードを後述するリモコン受信手段１１２に送信するリモコン手段１１１と、リモコン手段１１１からのリモコンコードを受信するリモコン受信手段１１２と、リモコン受信手段１１２がリモコン手段１１１からリモコンコードを受信したタイミングで発生させるリモコン押下タイミング信号に応じて選局設定判断手段１０７における選局設定を再設定するタイミング信号を生成する再評価設定手段１１３と、受信制御手段１０９からの制御に基づきＩＰネットワークによる放送を選局する選局フロントエンド手段１１４と、電波による放送局からの放送を復調する選局フロントエンド手段１０２の一つの構成手段ある復調手段１１５と、復調手段１１５の出力信号から予め電波による放送における選局に必要となる情報を取得する選局情報取得手段１１６と、ＩＰネットワークを介して放送を送信する放送局との放送配信・受信に関する通信制御を行う選局フロントエンド手段１１４の一つの構成手段である通信制御手段１１７と、ＩＰネットワークによる放送における選局に必要となる情報を取得する選局情報取得手段１１８と、電波による放送の受信状況を検出して受信品質を判断する受信状態判断手段１１９と、ＩＰネットワークによる放送における放送データの伝送状況を検出して伝送品質を判断する伝送状態判断手段１２０とで構成されている。
【００１５】
なお、中継ルータ３００は、放送受信装置１００がＩＰネットワークを経由して放送局と接続するためのアクセス網の中継ルータである。
【００１６】
また、受信制御手段１０９は、自動選局制御手段１１０とは別の独立した手段として説明したが、自動選局制御手段１１０に包含される構成としてもよい。すなわち、自動選局制御手段１１０は、受信制御手段１０９の機能を併せ持つ手段として構成してもよい。
【００１７】
また、図２は、本発明の実施の形態１おける放送受信装置１００が、ユーザが操作するリモコン１１１、アンテナ１０１を介して接続される電波による放送の放送局、および中継ルータ３００を介して接続されるＩＰネットワークによる放送の放送局との接続構成を示すイメージ図である。
【００１８】
次に、図１および図２を用いて、まず電波による放送における放送局の選局と、選局された放送局の放送番組を再生表示するにいたる放送受信装置１００の各手段の動作を説明する。
【００１９】
アンテナ１０１で受信された放送電波の中から、受信制御手段１０９から指示された周波数の放送局を選局し、その選局した放送局の放送信号を、復調手段１１５を備える選局フロントエンド手段１０２において復調することにより、選局した放送局の映像・音声・データ多重ストリーム（現在のデジタル放送の放送方式では、ＭＰＥＧのＴＳストリームを言う）を出力する。
【００２０】
選局フロントエンド手段１０２から出力される映像・音声・データ多重ストリームは多重分離手段１０３に入力され、ここでＣＰＵ制御手段１０６から入力される分離抽出のための条件指定により映像、音声およびデータストリームにそれぞれ多重分離されて出力される。なお、ＣＰＵ制御手段１０６から入力される条件指定とは、映像、音声およびデータストリームをそれぞれ識別する情報であり再生に要する識別情報を指定することを意味する。
【００２１】
多重分離手段１０３から出力された映像および音声ストリームはデコーダ手段１０４にてデコード処理される。デコーダ手段１０４から出力される映像信号および音声信号は、映像音声処理手段１０５にてＣＰＵ制御手段１０６からの制御によりＯＳＤ（Ｏｎ  Ｓｃｒｅｅｎ  Ｄｉｓｐｌａｙ）表示信号と多重されて映像信号および音声信号として出力される。映像信号はディスプレイ２０１などに表示され、音声信号はスピーカ２０２で出力される。
【００２２】
次に、ＩＰネットワークを介して接続される放送局からの番組を受信する場合の動作を説明する。ＩＰネットワークを介して接続された放送局から送信され、アクセス網とネットワークの宅内外を接続する中継ルータ３００を経由して受信する放送データのストリームの中から、選局フロントエンド手段１１４は、ユーザ等から指定された放送局の放送番組を受信制御手段１０９からの指示で選局することにより、選局された放送番組の映像・音声・データ多重ストリーム（トランスポートストリーム）を出力する。放送データのストリームは、複数に多重化された映像・音声・データ多重ストリームや、映像・音声・データを複数多重化されたストリームで構成され、上述したこれらのストリームを識別する情報により放送局の選局が行われる。
【００２３】
選局フロントエンド手段１１４から出力される映像・音声・データ多重ストリームは、電波による放送と同じように、多重分離手段１０３に入力され、ここでＣＰＵ制御手段１０６から入力される分離抽出のための条件指定により映像、音声およびデータストリームにそれぞれ多重分離されて出力される。
【００２４】
多重分離手段１０３から出力された映像および音声ストリームはデコーダ手段１０４においてデコード処理される。デコーダ手段１０４から出力される映像および音声信号は映像音声処理手段１０５においてＣＰＵ制御手段１０６からの制御によりＯＳＤ表示信号と多重されてそれぞれ映像および音声信号として出力される。映像信号はディスプレイ２０１などに表示され、音声信号はスピーカ２０２で出力される。
【００２５】
以上の動作により、ユーザがリモコン手段１１１を操作することによるチャネル切り替え操作のリモコンコードの情報を、放送受信装置１００に送信／通知することで選局および番組のチャネル切り替えを行うことができる。
【００２６】
次に、放送受信装置１００の設置時の動作について説明する。放送局から放送を受信するときにアンテナ経由で電波による放送を受信する、あるいは、ＩＰネットワーク経由により放送を受信するにあたり、放送局の選択やリモコンボタンのチャネル番号への対応の設定等を、放送受信装置１００の設置時に初期設定として行うことが必要になる。初期設定をする必要がある項目としては、１）選局周波数の初期設定、２）リモコンチャネルの対応設定などがある。
【００２７】
電波による地上波放送においては、放送受信装置１００を設置するエリアごとに受信可能な放送局及び放送局の送信周波数がエリア情報として決められている。そのために、エリア情報は電話番号や郵便番号などの位置検索に必要な情報から入手する。初期設定の方法の一つとして、ユーザが入手したエリア情報を、放送受信装置１００におけるメニュー画面あるいは初期設定用画面等を活用して入力することにより設定する方法がある。
【００２８】
このようにして設定されたエリア情報から選局するための周波数や、ネットワークを介して送信される伝送ストリームの中から該当する放送局の放送番組を指定（選局）するための情報などを選局情報格納手段１０８に格納／管理し、さらに選局情報格納手段１０８において放送番組を選局するための情報とユーザがリモコン手段１１１を操作することにより発生するリモコンコードとの対応を格納／管理する。
【００２９】
以上のような設定がなされると、自動選局制御手段１１０は、選局情報格納手段１０８に格納された周波数選択のための選局情報に基づく各放送局の周波数情報を基にして、受信制御手段１０９が選局フロントエンド手段１０２を制御して順次放送局を選局するように、受信制御手段１０９を制御する。
【００３０】
放送局を選局する時、受信状態判断手段１１９は、選局情報格納手段１０８に格納されている格納情報に基づいて選局フロントエンド手段１０２が順次選局を行う毎に、選局フロントエンド手段１０２を構成する復調手段１１５における復調の状態を検出し、その検出した復調の状態を、選局情報取得手段１１６を介して選局設定判断手段１０７に通知する。
【００３１】
一方、ＩＰネットワーク経由により受信する放送においては、ユーザは、各エリアで受信可能なチャネル設定に必要な情報を、ＩＰネットワークを介してオンラインで取得するか、それ以外の、例えば自らの選局に関する情報収集等により取得する。
【００３２】
このようにして取得されたチャネル設定に必要な情報は、ユーザによりリモコン手段１１１から放送受信装置１００に入力され、リモコン受信手段１１２、再評価設定手段１１３および選局設定判断手段１０７を経て選局情報格納手段１０８に格納／管理される。さらに、選局情報格納手段１０８には、このチャネル設定に必要な情報、すなわち放送番組を選局するための情報とユーザの操作によりリモコン手段１１１から放送受信装置１００に対して送信されるリモコンコードとを対応させる情報、および電波による放送とブロードバンドネットワーク経由による放送のうち、いずれの放送を利用するかを識別するための情報も合わせて格納／管理される。
【００３３】
以上のような設定がなされると、自動選局制御手段１１０は、選局情報格納手段１０８に格納された選局情報に基づく各放送局の選局情報を基にして受信制御手段１０９が選局フロントエンド手段１１４を制御して順次各放送局を選局するように、受信制御手段１０９を制御する。
【００３４】
放送局を選局するとき、伝送状態判断手段１２０は、選局情報格納手段１０８に格納されている格納情報に基づいて選局フロントエンド手段１１４が順次選局を行う毎に、選局フロントエンド手段１１４を構成する通信制御手段１１７における伝送の状態を検出し、その検出した伝送の状態を、通信制御手段１１７および選局情報取得手段１１８を介して選局設定判断手段１０７に通知する。
【００３５】
以上のようにして初期設定がなされた放送受信装置１００において、ユーザは、リモコン手段１１１における選局操作をすることより、放送受信装置１００がリモコン手段１１１から送信されるリモコンコードをリモコン受信手段１１２で受信し、受信したリモコンコードに対応する電波による放送における放送局、あるいはＩＰネットワークによる放送における放送局を選局するので、視聴する番組チャネルを選択あるいは視聴する番組チャネルを切り替えることができる。
【００３６】
しかし、電波による放送における放送局やＩＰネットワークを介して接続される放送局の中から選択された放送局から受信する放送信号の映像・音声・データ多重ストリームの受信状態は、常に同じ品質の状態とは限らない。
【００３７】
電波による放送における放送局の場合、天候や送信設備から受信アンテナ間における新たなノイズ源の発生などで、放送受信装置１００における受信状態が悪化し、映像・音声・データ多重ストリームの受信品質劣化により、映像品質などが劣化することがある。この劣化の状態は、受信状態判断手段１１９が選局フロントエンド１０２を構成する復調手段１１５における復調状態を検出し、その検出した復調状態を選局情報取得手段１１６および選局設定判断手段１０７を介して選局情報格納手段１０８に格納され管理される。
【００３８】
また、ＩＰネットワークを介して接続される放送局の中から選択された放送局から受信する映像・音声・データ多重ストリームも、ＩＰネットワークにおける伝送状況／伝送環境等により劣化する場合がある。このような伝送状況／伝送環境等による伝送品質の劣化の状態は、伝送状態判断手段１２０が選局フロントエンド手段１１４を構成する通信制御手段１１７における伝送状態を検出し、その検出した伝送状態を選局情報取得手段１１８および選局設定判断手段１０７を介して選局情報格納手段１０８に格納され管理される。
【００３９】
このように、放送受信装置１００における各放送局からの受信の状態あるいは伝送の状態が、選局情報格納手段１０８において放送局毎に格納／管理されている状況において、ユーザがリモコン手段１１１を操作して選局、すなわち、番組選択を行ったとき、リモコン受信手段１１２はこの選局（番組選択）に対応するリモコンコードを受信してそれを再評価設定手段１１３に送信し、再評価設定手段１１３はリモコン受信手段１１２より送信されたリモコンコードに基づき選局設定手段１０７に対して再評価を通知することで、選局情報格納手段１０８に格納／管理されている情報、すなわち選局する放送局の受信状態あるいは伝送状態に関する情報に基づいて、選局する対象の放送局を切り替えることができる。例えば、ユーザが選択した番組が電波による放送における放送局（仮に放送局Ｃとする）の番組であったとしても、放送局Ｃの受信状態が悪く、この放送局Ｃと同じ番組を放送しているＩＰネットワークによる放送における放送局ｃの伝送品質がよい場合は、選局する対象の放送局を放送局Ｃから放送局ｃに自動的に切り替えることができる。
【００４０】
この場合、ユーザは、通常の番組チャネルの切り替え操作、あるいは番組チャネルの選択操作を行っているために、切り替えに伴う画面表示の変化に違和感を抱くことはなく、選局の切り替えを意識することもない。また、受信品質に基づく放送局の自動切り替え（選局切り替え）は、ユーザが番組チャネルの切り替え操作、あるいは番組チャネルの選択操作を行っているタイミングで行われるため、視聴している映像や音声の乱れを感じること無しに選局切り替えを行うことができる。
【００４１】
なお、本発明の実施の形態１では、ユーザが選局のために番組チャネルを切り替える操作を行っている時に、選択した番組チャネルの受信状況あるいは伝送状況における品質の判断を行う、すなわち再評価を行うことで、選局する対象を切り替える例を示したが、これに限るものではなく、例えば、放送受信装置１００に電源を投入する時などのように、ユーザが番組を視聴していないタイミングで各放送局の受信状況および伝送状況を再評価し、その結果を選局情報格納手段１０８に格納／管理するように構成することで、同様の効果を得ることができる。
【００４２】
また、本発明の実施の形態１においては、リモコン手段１１１は放送受信装置１００の外部付属装置として説明したがこれに限るものではなく、例えば、リモコン手段１１１の全ての機能もしくはその一部の機能を放送受信装置１００に内蔵するようにしてもよい。
【００４３】
以上のように、受信品質あるいは伝送品質の劣化時の対応として、電波による放送とＩＰネットワークによる放送における放送局を、受信品質あるいは伝送品質に基づいて自動的に切り替えることによって、映像品質および音声品質をできる限り良い状態でユーザに視聴してもらうことができる。
【００４４】
さらに、本発明の放送受信装置においては、ユーザのリモコンによる選局タイミングを検出して、その選局タイミングにおいて放送局を自動的に切り替えるように構成しているので、ユーザに不快感／違和感を与えることなく放送局の自動切り替え（選局）を行うことができる。また、放送受信装置の電源ＯＮ時に、各放送局の受信状況および伝送状況を評価することにより、最適な状態の選局の情報をリモコンコードに対応付けることで、ユーザは常に品質の良い状態の放送を視聴することができる。
【産業上の利用可能性】
【００４５】
本発明に係る放送受信装置は、デジタルテレビジョンの電波による放送と、この電波による放送の放送局と同じ番組を同時刻に放送する放送局を有するブロードバンドネットワークを利用する放送の両放送を受信でき、ユーザに不快感を抱かせることなく放送局の切り替えを自動的に行うことにより、最適な品質で放送を受信することができる放送受信装置に適用できる。
【図面の簡単な説明】
【００４６】
【図１】本発明の実施の形態１における放送受信装置の構成を示すブロック図
【図２】本発明の実施の形態１における放送受信装置が、ユーザが操作するリモコン、アンテナを介して接続される電波による放送の放送局、および中継ルータを介して接続されるＩＰネットワークによる放送の放送局との接続構成を示すイメージ図
【符号の説明】
【００４７】
１００  放送受信装置
１０１  アンテナ手段
１０２  選局フロントエンド手段
１０３  多重分離手段
１０４  デコーダ手段
１０５  映像音声処理手段
１０６  ＣＰＵ制御手段
１０７  選局設定判断手段
１０８  選局情報格納手段
１０９  受信制御手段
１１０  自動選局制御手段
１１１  リモコン手段
１１２  リモコン受信手段
１１３  再評価設定手段
１１４  選局フロントエンド手段
１１５  復調手段、
１１６  選局情報取得手段
１１７  通信制御手段
１１８  選局情報取得手段
１１９  受信状態判断手段
１２０  伝送状態判断手段
２０１  ディスプレイ
２０２  スピーカ
３００  中継ルータ
【図１】
2007335924.tif 000003
【図２】
2007335924.tif 000004